(57)【要約】【課題】並列に接続された蓄電素子の複数の経路の抵抗のばらつきを抑制する。【解決手段】第１端子部２９と各蓄電素子２３〜２５の各正極の端子２７Ａとを並列に接続するように分岐された複数の第１分岐路３４Ａ〜３４Ｃを有する第１導電路３３と、第２端子部３１と各蓄電素子２３〜２５の各負極の端子２７Ｂとを並列に接続するように分岐された複数の第２分岐路３９Ａ〜３９Ｃを有する第２導電路３８と、を備え、複数の蓄電素子２３〜２５のうち一の蓄電素子２５と接続される第１分岐路３４Ｃが一の蓄電素子２５以外の蓄電素子２３，２４と接続される第１分岐路３４Ａ，３４Ｂよりも抵抗が大きく、一の蓄電素子２５と接続される第２分岐路３９Ａが一の蓄電素子２５以外の蓄電素子２３，２４と接続される第２分岐路３９Ｃ，３９Ｂよりも抵抗が小さい。【選択図】図８
2014165045.tif 000002
【特許請求の範囲】
【請求項１】
扁平な形状であって、扁平な面に沿う方向に並んで配された正極及び負極の端子を有する複数の蓄電素子と、
前記蓄電素子の正極の端子と電気的に接続される第１端子部と、
前記蓄電素子の負極の端子と電気的に接続される第２端子部と、
前記第１端子部と各前記蓄電素子の各前記正極の端子とを並列に接続するように分岐された複数の第１分岐路を有する第１導電路と、
前記第２端子部と各前記蓄電素子の各前記負極の端子とを並列に接続するように分岐された複数の第２分岐路を有する第２導電路と、を備え、
前記複数の蓄電素子のうち一の蓄電素子と接続される前記第１分岐路が前記一の蓄電素子以外の蓄電素子と接続される前記第１分岐路よりも抵抗が大きく、前記一の蓄電素子と接続される前記第２分岐路が前記一の蓄電素子以外の蓄電素子と接続される前記第２分岐路よりも抵抗が小さい蓄電ユニット。
【請求項２】
前記一の蓄電素子と接続される前記第１分岐路は、前記一の蓄電素子以外の蓄電素子と接続される前記第１分岐路よりも長さが長く、前記一の蓄電素子と接続される前記第２分岐路は、前記一の蓄電素子以外の蓄電素子と接続される前記第２分岐路よりも長さが短い請求項１に記載の蓄電ユニット。
【請求項３】
前記第１導電路及び前記第２導電路の少なくとも一方は、バスバーによって形成されている請求項１又は請求項２に記載の蓄電ユニット。
【請求項４】
前記第１導電路及び前記第２導電路は、共にバスバーであり、
前記各蓄電素子は、前記正極及び負極の端子が扁平な本体の片側に並んで配されており、
前記第１導電路と前記第２導電路とは絶縁部材を介して重ねられている請求項３に記載の蓄電ユニット。
【請求項５】
前記第１端子部は、前記複数の蓄電素子の並び方向の一方の側に配され、前記第２端子部は、前記複数の蓄電素子の並び方向の他方の側に配されている請求項１ないし請求項４のいずれか一項に記載の蓄電ユニット。
【請求項６】
請求項１ないし請求項５のいずれか一項に記載の蓄電ユニットを複数備え、
前記複数の蓄電ユニットが直列に接続されて構成されている蓄電モジュール。
【発明の詳細な説明】
【技術分野】
【０００１】
本発明は、蓄電ユニット及び蓄電モジュールに関する。
【背景技術】
【０００２】
従来、正極及び負極の端子を有する扁平な形状の複数の蓄電素子を積み重ねて構成した蓄電モジュールが知られている。
特許文献１では、正極タブ及び負極タブを有する扁平な形状の２次電池を積層し、これら積層された２次電池のタブをサイドホルダのバスバーに溶接等することで、複数の２次電池を直列や並列に接続している。
【先行技術文献】
【特許文献】
【０００３】
【特許文献１】特開２０１３−１２４５８号公報
【発明の概要】
【発明が解決しようとする課題】
【０００４】
ところで、特許文献１では、扁平な形状の複数の蓄電素子を縦に積み重ねていたが、これとは異なり、蓄電素子を扁平な面が連なるように横並びに配置することも考えられる。
ここで、横並びに配した蓄電素子を並列に接続するように導電路を配する場合、外部と接続される一対の端子と蓄電素子の電極との間で導電路を複数の経路に分岐させる必要がある。
この場合、並列に分岐された経路毎に抵抗が異なると、各蓄電素子についての充放電電流がバランスせず、各蓄電素子の発熱量にアンバランスが生ずることがある。この結果、各蓄電素子毎の温度バラツキが大きくなり、組電池の寿命を縮めたり、故障を誘発したりする問題がある。
【０００５】
本発明は上記のような事情に基づいて完成されたものであって、並列に接続された蓄電素子の複数の経路の抵抗のばらつきを抑制することを目的とする。
【課題を解決するための手段】
【０００６】
本発明の蓄電ユニットは、扁平な形状であって、扁平な面に沿う方向に並んで配された正極及び負極の端子を有する複数の蓄電素子と、前記蓄電素子の正極の端子と電気的に接続される第１端子部と、前記蓄電素子の負極の端子と電気的に接続される第２端子部と、前記第１端子部と各前記蓄電素子の各前記正極の端子とを並列に接続するように分岐された複数の第１分岐路を有する第１導電路と、前記第２端子部と各前記蓄電素子の各前記負極の端子とを並列に接続するように分岐された複数の第２分岐路を有する第２導電路と、を備え、前記複数の蓄電素子のうち一の蓄電素子と接続される前記第１分岐路が前記一の蓄電素子以外の蓄電素子と接続される前記第１分岐路よりも抵抗が大きく、前記一の蓄電素子と接続される前記第２分岐路が前記一の蓄電素子以外の蓄電素子と接続される前記第２分岐路よりも抵抗が小さいところに特徴を有する。
本構成によれば、複数の蓄電素子のうち一の蓄電素子と接続される第１分岐路が一の蓄電素子以外の蓄電素子と接続される第１分岐路よりも抵抗が大きく、一の蓄電素子と接続される第２分岐路が一の蓄電素子以外の蓄電素子と接続される第２分岐路よりも抵抗が小さくなっているため、第１導電路側の分流経路間の抵抗の相違を、同じ分流経路における第２導電路側の抵抗の相違で相殺することができる。よって、並列に接続された蓄電素子の複数の経路の抵抗のばらつきを抑制することが可能になる。
【０００７】
上記構成の実施態様として以下の構成を有すれば好ましい。
・前記一の蓄電素子と接続される前記第１分岐路は、前記一の蓄電素子以外の蓄電素子と接続される前記第１分岐路よりも長さが長く、前記一の蓄電素子と接続される前記第２分岐路は、前記一の蓄電素子以外の蓄電素子と接続される前記第２分岐路よりも長さが短い。
このようにすれば、導電路の長さを変えれば、抵抗のばらつきを抑制できる。
【０００８】
・前記第１導電路及び前記第２導電路の少なくとも一方は、バスバーによって形成されている。
例えば、導電路が電線であれば、第１導電路や第２導電路を必要に応じて長さを変える等により抵抗のばらつきを抑制することが比較的容易であるが、バスバーの場合には、長さを変えることが容易ではない。本構成によれば、第１導電路及び第２導電路の少なくとも一方がバスバーによって形成されているため、第１導電路及び第２導電路の一方のみの長さを変えることが容易ではない場合であっても抵抗のばらつきを抑制できる。
【０００９】
・前記第１導電路及び前記第２導電路は、共にバスバーであり、前記各蓄電素子は、前記正極及び負極の端子が扁平な本体の片側に並んで配されており、前記第１導電路と前記第２導電路とは絶縁部材を介して重ねられている。
このようにすれば、第１導電路と第２導電路の配置の制約により重ねられる場合に、経路の抵抗のばらつきを抑制することができる。
【００１０】
・前記第１端子部は、前記複数の蓄電素子の並び方向の一方の側に配され、前記第２端子部は、前記複数の蓄電素子の並び方向の他方の側に配されている。
このようにすれば、第１端子部及び第２端子部の位置により分岐路の抵抗にばらつきが生じやすい場合に、簡素な構成で各経路の抵抗のばらつきを抑制することが可能になる。
【００１１】
・蓄電ユニットを複数備え、前記複数の蓄電ユニットが直列に接続されて構成されている。
複数の蓄電素子を並列接続した蓄電ユニットを複数形成し、複数の蓄電ユニットを直列接続することで、所要の容量・電圧とすれば、万一、何らかの原因によって一つの蓄電素子の導通が失われた場合でも、その故障分を並列接続された他の蓄電素子により補うため、直ちに全体の導通不良には至らないという利点がある。
本構成によれば、このような利点を得ることができる構成において、並列に接続された蓄電素子の複数の経路の抵抗のばらつきを抑制することが可能になる。
【発明の効果】
【００１２】
本発明によれば、並列に接続された蓄電素子の複数の経路の抵抗のばらつきを抑制することが可能になる。
【図面の簡単な説明】
【００１３】
【図１】実施形態１の蓄電モジュールを示す斜視図
【図２】積層体を示す斜視図
【図３】最下層の蓄電ユニットを示す斜視図
【図４】蓄電素子を示す斜視図
【図５】最下層の蓄電ユニットの複数の蓄電素子、第１導電路及び第２導電路を示す斜視図
【図６】最下層の蓄電ユニットの複数の蓄電素子、第１導電路及び第２導電路を示す平面図
【図７】最下層の蓄電ユニットの複数の蓄電素子、第１導電路及び第２導電路を示す正面図
【図８】第１端子部と第２端子部との間の電気的構成を示す図
【図９】最下層の蓄電ユニットの第１導電路を示す斜視図
【図１０】最下層の蓄電ユニットの第１導電路を示す平面図
【図１１】最下層の蓄電ユニットの第２導電路を示す斜視図
【図１２】最下層の蓄電ユニットの第２導電路を示す平面図
【図１３】最下層の蓄電ユニットに２層目の蓄電ユニットが重ねられた状態を示す斜視図
【図１４】最下層の蓄電ユニットに２層目の蓄電ユニットが重ねられた状態を示す平面図
【図１５】図４のＡ−Ａ断面図
【図１６】下から２層目の蓄電ユニットの複数の蓄電素子、第１導電路及び第２導電路を示す斜視図
【図１７】下から２層目の蓄電ユニットの複数の蓄電素子、第１導電路及び第２導電路を示す平面図
【図１８】下から２層目の蓄電ユニットの複数の蓄電素子、第１導電路及び第２導電路を示す正面図
【図１９】下から２層目の蓄電ユニットの第１導電路を示す斜視図
【図２０】下から２層目の蓄電ユニットの第１導電路を示す平面図
【発明を実施するための形態】
【００１４】
＜実施形態１＞
実施形態１を図１ないし図２０を参照して説明する。
本実施形態の蓄電モジュール１０は、例えば自動車等の車両のＩｎｔｅｇｒａｔｅｄ  Ｓｔａｒｔｅｒ  Ｇｅｎｅｒａｔｏｒ（ＩＳＧ）に用いられる。以下では、図１４の下方を前方、上方を後方とし、図１４の左方を左方、右方を右方とし、蓄電ユニット２２Ａ〜２２Ｆの積層方向を上方、反対側を下方として説明する。
【００１５】
（蓄電モジュール１０）
蓄電モジュール１０は、図１に示すように、全体として略直方体形状をなしており、略直方体状のケース１１に複数の蓄電ユニット２２Ａ〜２２Ｆが積層されて構成された積層体２１が収容されており、積層体２１の端子３０，３２がケース１１を貫通して外部に導出されている。
【００１６】
（ケース１１）
ケース１１は、積層体２１が内部に配される筒状のケース本体１２と、ケース本体１２の左右の開口部１４を閉塞する閉塞部材１９とを備えている。
ケース本体１２は、金属製であって、積層体２１が収容される箱形のロアケース１３と、ロアケース１３の上方を覆うアッパーケース１５とを備えている。
【００１７】
ロアケース１３は、上方及び前方が開放されるとともに後方の一部が開放されている。
ロアケース１３の底面の周縁部には、積層体２１を貫通させたボルト１７Ａを貫通して締結するための留め孔（図示しない）が貫通形成されている。
【００１８】
アッパーケース１５は、略長方形状であって、その中央部には、ケース１１の内方側に段差状に陥没する放熱面１６が形成されており、この放熱面１６の内面が最上層の蓄電ユニット２２Ｆにおける蓄電素子２３〜２５と接触することで蓄電素子２３〜２５の熱が放熱面１６を介して外部に放散される。
【００１９】
アッパーケース１５の周縁部には、ボルト１７Ａとナット１７Ｂで締結するための留め孔が貫通形成されている。
また、アッパーケース１５の前端部には、閉塞部材１９を係止するための係止孔１８が形成されている。
【００２０】
閉塞部材１９は、合成樹脂製であって、ケース１１の左右の開口部１４に嵌め入られる形状であり、左方側の閉塞部材１９（右方の閉塞部材は図示しない）には、端子３０，３２をケース１１の外部に導出する端子導出口２０が形成されている。閉塞部材１９の上面には、係止孔１８に嵌め入れられる係止凸部が形成されている。
【００２１】
（積層体２１）
積層体２１は、図２に示すように、複数層（本実施形態では６層）の蓄電ユニット２２Ａ〜２２Ｆを上下に積み重ねて構成されている。
（蓄電ユニット２２Ａ〜２２Ｆ）
各蓄電ユニット２２Ａ〜２２Ｆは、上下に隣り合う蓄電ユニット２２Ａ〜２２Ｆの前後の向きが反対になるように重ねられており、共に、正極及び負極の端子２７Ａ，２７Ｂを有する複数の蓄電素子２３〜２５と、蓄電素子２３〜２５の正極の端子２７Ａと電気的に接続される第１端子部２９と、蓄電素子２３〜２５の負極の端子２７Ｂと電気的に接続される第２端子部３１と、第１端子部２９と各蓄電素子２３〜２５の各正極の端子２７Ａとを並列に接続する第１導電路３３と、第２端子部３１と各蓄電素子２３〜２５の各負極の端子２７Ｂとを並列に接続する第２導電路３８と、複数の蓄電素子２３〜２５を保持する合成樹脂製の保持部材４３と、蓄電素子２３〜２５の底面に沿うように配され、蓄電素子２３〜２５の熱を外部に放散させる板状の放熱部材５２とを備える。
【００２２】
複数の蓄電素子２３〜２５は、共に、同一構成であり、図４に示すように、扁平な形状のラミネート型の電池である。
各蓄電素子２３〜２５は、上下のラミネートフィルム内に図示しない蓄電要素が収容されて端部が溶着された本体２６と、ラミネートフィルムの端部から外方に突出する正極及び負極の端子２７Ａ，２７Ｂ（リード端子）とを有する。
【００２３】
ラミネートフィルムは、金属箔の外側に樹脂層を積層している。金属箔としてはアルミニウム箔等があげられ、樹脂層としては、ポリエチレンテレフタレート、ナイロン等があげられる。金属箔の内側（蓄電要素側）には、ポリエチレンまたはポリプロピレン等からなる熱溶着層が設けられている。
ラミネートフィルムの溶着された側端部２８は、本体２６側に折り曲げられている。
【００２４】
一対の端子２７Ａ，２７Ｂは、下側のラミネートフィルムの上面に重なるように上下のラミネートフィルムの間から本体２６の外部に導出されている。
複数の蓄電素子２３〜２５は、同一平面上に（扁平な面に沿うように）左右に一列に並べられて蓄電素子列を形成している。
隣り合う蓄電素子２３〜２５の間はわずかな隙間を有している。
【００２５】
第１端子部２９は、最下層の蓄電ユニット２２Ａについては、図３に示すように、蓄電モジュール１０の全体の正極の端子３０とされ、外部の電線端末の端子（図示しない）に接続される。他の層（２〜６層）の蓄電ユニット２２Ｂ〜２２Ｆの第１端子部２９は上下に隣り合う蓄電ユニット２２Ａ〜２２Ｅの第２端子部３１と接続される。なお、異なる層の第１端子部２９と第２端子部３１との接続は、図１５に示すように、薄肉の金属板（銅板等）をクランク状に曲げて形成した接続端子５５を第１端子部２９及び第２端子部３１の双方に超音波溶接することにより、異なる層の第１端子部２９と第２端子部３１とが接続されている。
【００２６】
第２端子部３１は、１〜５層の蓄電ユニット２２Ａ〜２２Ｅについては、２〜６層の蓄電ユニット２２Ｂ〜２２Ｆの第１端子部２９と接続される。なお、最上層の蓄電ユニット２２Ｆの第２端子部３１は、図２に示すように、蓄電モジュール１０の全体の負極の端子３２とされ、外部の電線端末の端子（図示しない）に接続される。
【００２７】
第１端子部２９と第２端子部３１の間は、図８に示すように、第１導電路３３，蓄電素子２３〜２５，第２導電路３８によって接続されており、これにより、蓄電素子２３〜２５の数に応じた複数（本実施形態では３つ）の分流経路が形成されている（図８では、導電路の長い分岐路には他の分岐路よりも余分に長さに応じた抵抗ＲＡ１，ＲＡ２，ＲＢ１，ＲＢ２が生じている）。
図５に示すように、第１導電路３３及び第２導電路３８は、金属板材をプレスにより打ち抜いて曲げ加工を施して形成したものであり、例えば、純アルミ、アルミ合金、銅または銅合金などの導電性材料からなる。
以下では、蓄電ユニット２２Ａ〜２２Ｆの第１導電路３３及び第２導電路３８について、下側の１，２層の蓄電ユニット２２Ａ，２２Ｂの第１導電路３３Ａ，３３Ｂ及び第２導電路３８Ａ（第２導電路は１，２層は同一形状）について説明し、他の３〜６層の蓄電ユニット２２Ｃ〜２２Ｆの第１導電路３３及び第２導電路３８についての説明は省略する。
【００２８】
蓄電ユニット２２Ａの第１導電路３３Ａは、図１０に示すように、第１端子部２９と、第１端子部２９と一体に形成され、第１端子部２９に連なる平板状の第１導電路本体３５とを有し、第１導電路本体３５は、第１端子部２９と各蓄電素子２３〜２５の各正極の端子２７Ａとを並列に接続するように分岐された複数の第１分岐路３４Ａ〜３４Ｃを有する。
【００２９】
第１端子部２９は、第１導電路本体３５の端部がクランク状に屈曲されることで、第１導電路本体３５とは異なる高さに形成されている。
第１導電路本体３５は、第１端子部２９から蓄電素子２３〜２５の並び方向に沿って左右に延びており、その経路上で段差状に曲げ加工された曲げ部５４によりわずかに高さが変えられ、曲げ部５４よりも先には、延出方向の一方の側縁部に蓄電素子２３〜２５の各正極の端子２７Ａに接続される接続部３６Ａ〜３６Ｃが形成されている。
【００３０】
第１分岐路３４Ａは、第１導電路本体３５の電流が分流する接続部３６Ａの部分であり、第１分岐路３４Ｂは、接続部３６Ａの右端側から第１導電路本体３５の電流が分流する接続部３６Ｂまでの部分であり、第１分岐路３４Ｃは、接続部３６Ｂの右端側から接続部３６Ｃまでの部分である。
【００３１】
蓄電ユニット２２Ｂの第１導電路３３Ｂは、図２０に示すように、第１端子部２９と、第１端子部２９と一体に形成された第１導電路本体３５とを有し、第１導電路本体３５は、第１端子部２９と各蓄電素子２３〜２５の各正極の端子２７Ａとの間を並列に接続するように分岐された複数の第１分岐路３４Ａ〜３４Ｃを有する。
【００３２】
蓄電ユニット２２Ｂの第１導電路本体３５は、第１端子部２９から後方に延びているとともに、その後端部から直角に屈曲され、蓄電素子２３〜２５の並び方向に沿って左右に延びており、その延出方向の一方の側縁部に蓄電素子２３〜２５の端子２７Ａに接続される接続部３６Ａ〜３６Ｃが形成されている。
【００３３】
第１分岐路３４Ａは、第１導電路本体３５の電流が分流する接続部３６Ａの部分であり、第１分岐路３４Ｂは、接続部３６Ａの左端側から第１導電路本体３５の電流が分流する接続部３６Ｂまでの部分であり、第１分岐路３４Ｃは、接続部３６Ｂの左端側から接続部３６Ｃまでの部分である。
蓄電ユニット２２Ａ，２２Ｂの第１導電路３３の上面のうち、蓄電素子２３〜２５に沿って延びる所定の範囲（第２導電路３８が下に重なる領域）には、他の部材から第１導電路３３を絶縁するための図示しない絶縁シート（絶縁部材）が貼り付けられている。
【００３４】
第２導電路３８は、図１２に示すように、第２端子部３１と、第２端子部３１と一体に形成された第２導電路本体４０とを有し、第２導電路本体４０は、第２端子部３１と各蓄電素子２３〜２５の各負極の端子２７Ｂとを並列に接続するように分岐された複数の第２分岐路３９Ａ〜３９Ｃを有する。
第２導電路本体４０は、第２端子部３１から蓄電素子２３〜２５の並び方向に沿って左右に延びる部分を有し、その延出方向の一方の側縁部に蓄電素子２３〜２５の負極の端子２７Ｂに接続される接続部４１Ａ〜４１Ｃが形成されている。
【００３５】
第２分岐路３９Ａは、第２導電路本体４０の電流が分流する接続部４１Ａの部分であり、第２分岐路３９Ｂは、接続部４１Ａの左端側から第２導電路本体４０の電流が分流する接続部４１Ｂまでの部分であり、第２分岐路３９Ｃは、接続部４１Ｂの左端側から接続部４１Ｃまでの部分である。
【００３６】
第２導電路３８の上面のうち、蓄電素子２３〜２５に沿って延びる所定の範囲（第１導電路３３が上に重なる領域）には、第１導電路３３との間を絶縁するための図示しない絶縁シート（絶縁部材）が貼り付けられている。
これにより、複数の第１分岐路３４Ａ〜３４Ｃのうち最も抵抗が大きい第１分岐路３４Ｃに正極の端子２７Ａが接続された蓄電素子２５の負極の端子２７Ｂに接続される第２分岐路３９Ａは、最も抵抗が小さくなっている。
なお、導電路３３，３８には、上方に積層される蓄電ユニット２２Ｂ〜２２Ｆを保持する保持爪５３が形成されている。
【００３７】
（保持部材４３）
保持部材４３は、合成樹脂製であって、図３に示すように、放熱部材５２の上に配される中央セパレータ４４と、放熱部材５２の左右にそれぞれ配されるサイドセパレータ４９Ａ，４９Ｂとを備え、中央セパレータ４４とサイドセパレータ４９Ａ，４９Ｂとに亘って第１導電路３３及び第２導電路３８からなるバスバーが配されて保持される。
【００３８】
中央セパレータ４４は、各蓄電素子２３〜２５を内側に嵌め入れて保持するために矩形に区画された区画部４６を備えている。
区画部４６は、蓄電素子２３〜２５を左右に並べて嵌め入れることが可能である。
区画部４６とバスバー保持部４５の間には、蓄電素子２３〜２５の端子２７Ａ，２７Ｂが配されるとともに、この上には端子２７Ａ，２７Ｂを覆うように長尺のカバー５１が被せられている。
放熱部材５２は、中央セパレータ４４及びサイドセパレータ４９Ａ，４９Ｂの大きさに応じた大きさの板状であって、例えば、アルミニウムやアルミニウム合金等の熱伝導性材料からなる。
【００３９】
中央セパレータ４４は、その左右にサイドセパレータ４９Ａ，４９Ｂに重ねられる固定部４７が突出しており、固定部４７が中央セパレータ４４の上面に突出する被固定突部５０に嵌められて中央セパレータ４４とサイドセパレータ４９Ａ，４９Ｂとが固定される。
【００４０】
サイドセパレータ４９Ａ，４９Ｂは、放熱部材５２の板面に沿って放熱部材５２の左右に延びており、その上面に第１導電路３３及び第２導電路３８からなるバスバーを嵌め入れて保持する。
【００４１】
本実施形態によれば、以下の作用及び効果を奏する。
本実施形態によれば、複数の蓄電素子２３〜２５のうち一の蓄電素子２５と接続される第１分岐路３４Ｃが一の蓄電素子２５以外の蓄電素子２３，２４と接続される第１分岐路３４Ａ，３４Ｂよりも抵抗が大きく、一の蓄電素子２５と接続される第２分岐路３９Ａが一の蓄電素子２５以外の蓄電素子２３，２４と接続される第２分岐路３９Ｃ，３９Ｂよりも抵抗が小さくなっているため、第１導電路３３側の分流経路間の抵抗の相違を、同じ分流経路における第２導電路３８側の抵抗の相違で相殺することができる。よって、並列に接続された複数の経路の抵抗のばらつきを抑制することが可能になる。
【００４２】
また、一の蓄電素子２５と接続される第１分岐路３４Ｃは、一の蓄電素子２５以外の蓄電素子２３，２４と接続される第１分岐路３４Ａ，３４Ｂよりも長さが長く、一の蓄電素子２５と接続される第２分岐路３９Ａは、一の蓄電素子２５以外の蓄電素子２３，２４と接続される第２分岐路３９Ｃ，３９Ｂよりも長さが短い。
このようにすれば、導電路の長さを変えれば、抵抗のばらつきを抑制できる。
【００４３】
さらに、第１導電路３３及び第２導電路３８（の少なくとも一方）は、バスバーによって形成されている。
例えば、導電路が電線であれば、第１導電路３３や第２導電路３８を必要に応じて長さを変える等により抵抗のばらつきを抑制することが比較的容易であるが、バスバーの場合には、長さを変えることが容易ではない。本実施形態によれば、第１導電路３３及び第２導電路３８（の少なくとも一方）がバスバーによって形成されているため、第１導電路３３及び第２導電路３８の一方のみの導電路の長さを変えることが容易ではない場合であっても抵抗のばらつきを抑制できる。
【００４４】
また、第１導電路３３及び第２導電路３８は、共にバスバーであり、各蓄電素子２３〜２５は、正極及び負極の端子２７Ａ，２７Ｂが扁平な本体２６の片側に並んで配されており、第１導電路３３と第２導電路３８とは絶縁シート（絶縁部材）を介して重ねられている。
このようにすれば、第１導電路３３と第２導電路３８の配置の制約により重ねられる場合に、経路の抵抗のばらつきを抑制することができる。
【００４５】
さらに、第１端子部２９は、複数の蓄電素子２３〜２５の並び方向の一方の側に配され、第２端子部３１は、複数の蓄電素子２３〜２５の並び方向の他方の側に配されている。
このようにすれば、第１端子部２９及び第２端子部３１の位置により分岐路の抵抗にばらつきが生じやすい場合に、簡素な構成で各経路の抵抗のばらつきを抑制することが可能になる。
【００４６】
また、蓄電ユニット２２Ａ〜２２Ｆを複数備え、複数の蓄電ユニット２２Ａ〜２２Ｆが直列に接続されて構成されている。
複数の蓄電素子２３〜２５を並列接続した蓄電ユニット２２Ａ〜２２Ｆを複数形成し、複数の蓄電ユニット２２Ａ〜２２Ｆを直列接続することで、所要の容量・電圧とすれば、万一、何らかの原因によって一つの蓄電素子２３〜２５の導通が失われた場合でも、その故障分を並列接続された他の蓄電素子２３〜２５により補うため、直ちに全体の導通不良には至らないという利点がある。
本実施形態によれば、このような利点を得ることができる構成において、並列に接続された蓄電素子２３〜２５の複数の経路の抵抗のばらつきを抑制することが可能になる。
【００４７】
＜他の実施形態＞
本発明は上記記述及び図面によって説明した実施形態に限定されるものではなく、例えば次のような実施形態も本発明の技術的範囲に含まれる。
（１）上記実施形態では、各導電路３３，３８の分岐路の長さによって一方の導電路３３の抵抗のばらつきを他方の導電路３８で相殺して経路の抵抗のばらつきを抑制することとしたが、これに限られない。例えば、分岐路の幅を変えたり、分岐路を構成する導電性材料の抵抗率を変えたりして、各経路の抵抗のばらつきを抑制するようにしてもよい。
（２）上記実施形態では、蓄電素子２３〜２５が電池である例を示したが、蓄電素子２３〜２５は、コンデンサなどであってもよい。
（３）上記実施形態では、ＩＳＧ用の蓄電モジュール１０としたが、他の用途の蓄電モジュールに用いてもよい。
（４）蓄電ユニット２２Ａ〜２２Ｆに電圧検知線を接続して蓄電素子２３〜２５の電圧を検知するようにしてもよい。例えば、第１導電路３３及び第２導電路３８に電圧検知端子を接続し、この電圧検知端子に接続された電線が外部に導出されるようにしてもよい。
【符号の説明】
【００４８】
１０：蓄電モジュール
２１：積層体
２２Ａ〜２２Ｆ：蓄電ユニット
２３〜２５：蓄電素子
２７Ａ：正極の端子
２７Ｂ：負極の端子
２９：第１端子部
３０：＋端子
３１：第２端子部
３２：−端子
３３（３３Ａ，３３Ｂ）：第１導電路
３４Ａ〜３４Ｃ：第１分岐路
３８（３８Ａ）：第２導電路
３９Ａ〜３９Ｃ：第２分岐路
４３：保持部材
５２：放熱部材
【図１】
2014165045.tif 000003
【図２】
2014165045.tif 000004
【図３】
2014165045.tif 000005
【図４】
2014165045.tif 000006
【図５】
2014165045.tif 000007
【図６】
2014165045.tif 000008
【図７】
2014165045.tif 000009
【図８】
2014165045.tif 000010
【図９】
2014165045.tif 000011
【図１０】
2014165045.tif 000012
【図１１】
2014165045.tif 000013
【図１２】
2014165045.tif 000014
【図１３】
2014165045.tif 000015
【図１４】
2014165045.tif 000016
【図１５】
2014165045.tif 000017
【図１６】
2014165045.tif 000018
【図１７】
2014165045.tif 000019
【図１８】
2014165045.tif 000020
【図１９】
2014165045.tif 000021
【図２０】
2014165045.tif 000022